(57)【要約】【課題】レーザーポインターや照明、体温計及びエコ箸、筆記用具としての機能を発揮する多機能ペンの提供。【解決手段】  ボディＡ及びボディに被せるキャップＢを有し、該ボディ内に伸縮可能の箸１を収納し、該箸内にボールペンの替え芯１１及びカバー１２を設置する。該キャップ内に制御回路基板２を収容して、該制御回路基板にレーザー発光部品２１及び発光ダイオード２２、温度検知部品、液晶ディスプレイ２４、複数の操作ボタン２５を設けてそれぞれキャップから露出させ、且つ温度検知部品をキャップのクリップＢ１に設置する。【選択図】図２
0003194683.tif 000002
【実用新案登録請求の範囲】
【請求項１】
ボディ及び該ボディに被せるキャップを具え、
該ボディは伸縮可能の箸を収納し、該箸内にボールペンの替え芯を設けて該ボールペンのチップを箸の天辺から露出させ、
該キャップの内部に制御回路基板を収容し、該制御回路基板にレーザー発光部品及び発光ダイオード、温度検知部品、液晶ディスプレイ、複数の操作ボタンを設けて、レーザー発光部品、発光ダイオード、液晶ディスプレイ及び操作ボタンをそれぞれキャップ外に露出させ、
該温度検知部品は導線を介して液晶ディスプレイに接続すると共に該キャップのクリップに設置し、
レーザーポインター、照明手段、体温計及びエコ箸、筆記用具として使用可能としたことを特徴とする多機能ペンの構造。
【請求項２】
前記箸の天辺にカバーを設置して、前記ボールルペンのチップを被覆して保護したことを特徴とする請求項１記載の多機能ペンの構造。
【請求項３】
前記温度検知部品が該クリップの端部に設置され、該クリップを該キャップに設置される突起に沿って摺動可能としたことにより、
該キャップの摺動操作に伴って該温度検知部品が上方へキャップから突出し、又は該キャップの一側側に隠蔽されることを特徴とする請求項１記載の多機能ペンの構造。
【請求項４】
前記温度検知部品は金属部品であることを特徴とする請求項１記載の多機能ペンの構造。
【考案の詳細な説明】
【技術分野】
【０００１】
本考案は、多機能ペンの構造に関し、特に携帯でき、且つレーザーポインターや照明、体温計及びエコ箸、筆記用具の機能も兼ね備える多機能ペンの構造に関する。
【背景技術】
【０００２】
テクノロジーの発展により、レーザーポインターや暗闇を照らす小型ライト、体温を測る体温計などの小型電子製品は今の生活の中に多く存在している。また、エコ及び個人の衛生に対する意識が高まることにより、マイ箸を持ち歩くのはもはや常識となっている。前述の様々な製品をいつも持ち歩くと、全て手持ちのカバンに入れるとまとめにくく、使用する際にも探しにくい上に紛失しやすいことなどを鑑みて、レーザーポインター、照明、体温計、エコ箸、筆記用具などの製品を一つにまとめて随時携帯できる改善策を案出した。
【先行技術文献】
【特許文献】
【０００３】
【特許文献１】実開平５−９３２４５号公報
【考案の概要】
【考案が解決しようとする課題】
【０００４】
前記公知構造の欠点を解決するため、本考案はレーザーポインター、照明、体温計及びエコ箸、筆記用具の機能を兼ね備え、いつも携帯でき、いつでも使用できる多機能ペンの構造を提供することを主な課題とする。
【課題を解決するための手段】
【０００５】
前記課題を解決するために、本考案は多機能ペンの構造を提供するものである。本考案にはボディ及びボディに被せるキャップを含む。該ボディは伸縮可能の箸を収納し、該箸内にリフィル（ボールペンの替え芯）及びカバーを設置する。該キャップ内に制御回路を収容し、該制御回路にレーザー部品及び発光ダイオード、温度検知部品、液晶ディスプレイ、これらに対する複数の操作ボタンを設けることで、レーザー部品、発光ダイオード、液晶ディスプレイ及び操作ボタンがそれぞれキャップから露出し、且つ温度検知部品をキャップのクリップに設置する。本考案は携帯しやすく、レーザーポインターや照明、体温計及びエコ箸、筆記用具としての機能を発揮することができる。
【考案の効果】
【０００６】
本願考案の多機能ペンは、クリップを使ってポケット或いはその他の箇所に挟持することができて携帯しやすく、いつでもどこでもレーザーポインターや照明、体温計及びエコ箸、筆記用具としての機能を発揮することができる。これらの機能が一つにまとめられているため、使用時の便利性を高める。
【図面の簡単な説明】
【０００７】
【図１】本考案の立体図である。
【図２】本考案の立体分解図である。
【図３】本考案の第一使用状態図である。
【図４】本考案の第二使用状態図である。
【図５】本考案の第三使用状態図である。
【図６】本考案の第四使用状態図である。
【考案を実施するための形態】
【０００８】
以下、本考案の構造と特徴および効果を、最良実施例と図面を参照しながら詳細に説明する。
【実施例】
【０００９】
図１及び図２に示すのは、本考案の立体図及び立体分解図である。図に示すように、本考案はボディＡ及びボディＡに被せるキャップＢを具える。
該ボディＡは伸縮可能の箸１を収納し、該箸１内にリフィル（ボールペンの替え芯）を設けて、リフィルのチップ１１を箸１の天辺から露出し、それを遮蔽して保護するために天辺にカバー１２を設置する。カバー１２と箸１の天辺の周縁に、それぞれにかま継ぎ１２１、１３を設け、カバー１２を箸１の天辺に合って転動させ、かま継ぎ１２１、１３によって係合し固定する。
該キャップＢは片側にクリップＢ１を設け、該内部に制御回路基板２を収容する。該制御回路基板２にレーザー部品２１及び発光ダイオード２２、温度検知部品２３、液晶ディスプレイ２４、これらに対する複数の操作ボタン２５を設けて、これらのレーザー発光部品２１、発光ダイオード２２、液晶ディスプレイ２４及び操作ボタン２５をそれぞれキャップＢの適切な位置から露出する。該温度検知部品２３は、導線２３１を介して該制御回路基板２及び液晶ディスプレイ２４に接続すると共に、該クリップＢ１の端部に設置され、温度を感知しやすい金属部品からなる。
該クリップＢ１は、該キャップＢに設置される突起Ｂ２に摺動可能に嵌合されることによって、該クリップＢ１を該突起Ｂ２に沿って摺動操作するに伴って該温度検知部品２３が上方へキャップＢから突出し、又はその下側へキャップＢの一側に隠すことができる。
制御回路２を作動するパワーは複数のバッテリー２６から得る。以上の構成からなる部品の組み合わせにより多機能ペンを構成する。多機能ペンはクリップＢ１によってポケット或いはその他の箇所に挟むことができて携帯しやすく、いつでもどこでもレーザーポインターや照明、体温計及びエコ箸、筆記用具としての機能を発揮することができる。以上の構成によって機能を一つのまとめているため、使用時の便利性を高める。
【００１０】
図３に示すのは、本考案の第一使用状態図である。図２及び図３に示すように、本考案を使用する際、操作ボタン２５を押すことで、制御回路２がレーザー部品２１にパワーを送り、レーザー部品２１から光を集中して投射して点状の光がポインターとなるため、プレゼンテーションや講演或いは講義の時に使用することができる。
【００１１】
図４に示すのは本考案の第二使用状態図である。図２及び図４に示すように、本考案を使用する際、操作ボタン２５を押すことで、制御回路２が発光ダイオード２２にパワーを送り、該発光ダイオード２２が光る。該発光ダイオード２２は高輝度の規格のものであって、該発光ダイオード２２が照射する光を介して、暗闇或いは視界が悪いところで、懐中電灯のような照明の役割を果たすことができる。
【００１２】
図５に示すのは本考案の第三使用状態図である。図２及び図５に示すように、本考案を使用する際、該クリップＢ１を該突起Ｂ２に沿って摺動させると、該温度検知部品２３が上方へキャップＢから突出し、その後、本考案の多機能ペンのクリップＢ１を腋に挟む、或いは額に当て、該温度検知部品２３を腋又は額の部分に接触して、該温度検知部品２３によって体温を測定する。該温度検知部品２３は温度を感知しやすい金属部品であるため、人体の体温を感知する。更に制御回路２で判読した後に、液晶ディスプレイ２４に体温を表示する。別途に体温計を探さずとも、いつでもどこでも体温を測ることができる。
【００１３】
図６に示すのは本考案の第四使用状態図である。図２及び図６に示すように、本考案を使用する際に、キャップＢを取り、ボディＡから箸１を取り出してカバー１２を取り、ボールペンのチップ１１を露出させて箸１のボディを持って使えば、通常の筆記用具として使用することができ、別途筆記用具を携帯する必要がない。また、箸１を最長にまで伸ばすと、エコ箸となり、外食時に使用することができ、割り箸を使う必要がなく、個人の衛生を考慮できると同時にエコにもなる。
【００１４】
以上の実施例による本考案の最良実施方法の説明であり、本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【００１５】
上記のように、本考案はボディ及びボディに被せるキャップ、ボディ内に設置する伸縮箸、キャップに設置する制御回路で構成する多機能ペンの構造である。多機能ペンはレーザーポインター、照明、体温計及びエコ箸、筆記用具としての機能を備え、随時携帯でき、いつでもどこでも使用することができる。
【符号の説明】
【００１６】
Ａ  ボディ
Ｂ  キャップ
Ｂ１  クリップ
Ｂ２  突起
１  箸
１１  チップ
１２  カバー
１２１  かま継ぎ
１３  かま継ぎ
２  制御回路
２１  レーザー部品
２２  発光ダイオード
２３  温度検知部品
２３１  導線
２４  液晶ディスプレイ
２５  操作ボタン
２６  バッテリー
【図１】
0003194683.tif 000003
【図２】
0003194683.tif 000004
【図３】
0003194683.tif 000005
【図４】
0003194683.tif 000006
【図５】
0003194683.tif 000007
【図６】
0003194683.tif 000008